(57)【特許請求の範囲】
【請求項１】
ＩＣカードの内部空間を区画するフレームと、同時成形により上記フレームと一体化され、このフレームの内壁から上記内部空間に向かって突出した第１ロック片を有する第１パネルと、この第１パネルの上記第１ロック片に上記フレームの内方で係合する第２ロック片を有する第２パネルとを含み、
上記第２パネルが、上記フレームの内壁に当接して当該第２パネルを上記フレームに対して弾性的に位置決めする弾性位置決め片を有していることを特徴とするＩＣカード用フレームキット。
【請求項２】
上記第１ロック片は、上記フレームに植設され、先端部を上記フレームの内壁から上記内部空間に突出させて上記フレームに保持されていることを特徴とする請求項１記載のＩＣカード用フレームキット。
【請求項３】
上記フレームは、ＩＣカードの外方に露出してＩＣカードの挿入方向に沿う側面をなす外表面を有し、この外表面に、ＩＣカードスロットに誤った姿勢で挿入されることを防止するための誤挿入防止キーが形成されており、上記第１パネルは、上記誤挿入防止キーの形成領域を確保した状態で上記フレームと一体化されていることを特徴とする請求項１または２記載のＩＣカード用フレームキット。
【請求項４】
上記請求項１ないし３のいずれかに記載のフレームキットと、基板にコネクタが取り付けられて構成される基板組立体とを含み、上記基板組立体を上記第１パネルと上記第２パネルとの間に収容して構成されたＩＣカード。
【発明の詳細な説明】
【０００１】
【発明の属する技術分野】
この発明は、ＩＣカード用フレームキットおよびＩＣカードに関する。
【０００２】
【従来の技術】
たとえば、ノート型パーソナルコンピュータや電子手帳などに代表される携帯型情報機器には、一般に、ＰＣカードやＣＦカードなどのＩＣカードを装着するためのＩＣカードスロットが備えられている。このＩＣカードスロットにＩＣカードを装着することによって、携帯型情報機器の機能拡張を行うことができる。ＩＣカードは、ＩＣカードスロットとの接続用のコネクタを基板に実装して構成された基板組立体と、この基板組立体が保持されるフレームと、基板組立体の上下面を覆う一対の金属パネルとを有し、全体がカード形状に形成されている。
【０００３】
ＩＣカードの製造方式は、大量生産に適した機械式と、比較的多品種少量生産に適した手組式とに大別される。機械式の製造方式では、たとえば、樹脂成型品からなるフレームに、超音波溶着などの設備を用いて、金属パネルが固定される。これに対して、手組式では、基板組立体およびフレームを一対の金属パネルで挟み込み、この一対の金属パネル同士を手指や治具で押し付け合って結合させることにより、ＩＣカードが組み立てられる。
【０００４】
手組式による組立てのためのＩＣカード用フレームキット（フレームおよび一対の金属パネルを指す。）においては、たとえば、一対の金属パネルの側辺に、互いにロック係合する係合部材がそれぞれ設けられている。この係合部材は、たとえば、一方が爪部を、他方が係合孔を有している。組立てに際して、この係合部材を互いに係合させ、爪部を係合孔に嵌め合わせることによって、一対の金属パネル同士が結合され、同時に、この金属パネルのフレームに対する取付けも達成される（例えば特開平９−２４５１４３号公報参照）。金属パネルは、フレームの側面を外方から覆うように設けられ、フレームの側面まで係合部材同士が互いにロック結合するようになっている。
【０００５】
【発明が解決しようとする課題】
しかしながら、パネル同士の結合の際には、一対のパネルの係合部材がそれぞれ弾性変形するために、爪部と係合孔との位置合わせが必ずしも容易ではなく、パネル同士の結合操作が困難である。
しかも、爪部の長さは微小であるので、一見、爪部と係合孔とが完全に嵌り合っているように見えても、実際には、係合が不完全な場合がある。このような不良品が市場に出回れば、床に落とした場合のように大きな衝撃が加えられた場合に、ＩＣカードが分解してしまうおそれがある。
【０００６】
また、ＩＣカードには、一般に、規格で定められたキー溝が側面に形成されている。たとえばＣＦカードには、カードの側面の前端から後端近傍に至る長いキー溝が設けられる。ところが、一対のパネルの係合部材がフレームの側端面を覆う構成では、フレームの側端面に規格に従ったキー溝を設けることができない。したがって、手組み式のＣＦカード用フレームキットの実現が困難であった。
【０００７】
そこで、この発明の目的は、容易にかつ確実に組み立てることができるＩＣカード用フレームキット、およびそれを用いたＩＣカードを提供することである。また、この発明の他の目的は、フレームの側面に良好な誤挿入防止キーを設けることができるＩＣカード用フレームキット、およびそれを用いたＩＣカードを提供することである。
【０００８】
【課題を解決するための手段および発明の効果】
上記課題を解決するための請求項１記載の発明は、ＩＣカードの内部空間を区画するフレームと、同時成形により上記フレームと一体化され、このフレームの内壁から上記内部空間に向かって突出した第１ロック片を有する第１パネルと、この第１パネルの上記第１ロック片に上記フレームの内方で係合する第２ロック片を有する第２パネルとを含み、上記第２パネルが、上記フレームの内壁に当接して当該第２パネルを上記フレームに対して弾性的に位置決めする弾性位置決め片を有していることを特徴とするＩＣカード用フレームキットである。
【０００９】
この発明の構成では、第１パネルが同時成形によってフレームと一体化されているため、第１パネルの第１ロック片のフレームの内壁からの突出量を精度良く規定できる。また、第１および第２のロック片の係合時における第１パネルの弾性変形量はわずかであり、したがって、第１ロック片の変位も少ない。よって、第１および第２ロック片の係合時の位置合わせが容易であり、また、第１ロック片と第２ロック片との係合を容易にかつ確実に行える。
また、弾性位置決め片がフレームの内壁と弾性的に当接することによって、フレームに対する第２パネルの位置決めが行われる。すなわち、弾性位置決め片がフレームに当接し、フレームを外方へと押圧するようになる。そして、その反力によって、第２パネルがフレームの中心側へ押されるようになる。よって、第２パネルを確実に正規の位置に配置でき、かつ、組立て後のがたつきを確実に防止できる。
【００１０】
第１ロック片はロック爪を有し、第２ロック片は当該ロック爪が係合する係合孔を有していれば好ましい。この第２ロック片は、弾性片からなっていればさらに好ましい。この場合には、主として第２ロック片の弾性変形によりロック爪が係合孔へと導かれ、第１および第２ロック片がスナップ結合する。このスナップ結合時にロック爪の変形は少しであるので、容易にかつ確実にロック爪を係合孔に嵌め合わせることができる。そして、一旦係合孔に完全に嵌められたロック爪は、簡単には係合孔から外れない。よって、組立て後に分解するおそれもない。
上記弾性位置決め片は、第２パネルと一体的に設けられていれば好ましい。また、第２パネルの両側辺に設けられていればさらに好ましい。また、上記位置決め弾性片は、第２ロック片からフレームの内壁に向かって突出して設けられていてもよい。
【００１１】
また、この発明の構成においては、第１および第２パネルを互いに圧接させたときに、フレームの内方で、第１ロック片および第２ロック片が係合する。このため、第１および第２パネルは、フレームの外方を回り込む必要がないから、フレームの外側面が露出する構成とすることが可能である。したがって、誤挿入防止のためのキー溝をカード側面の前端から後端付近にわたって設ける必要があるＣＦカードのようなＩＣカードにこの発明を適用すれば、フレームに良好なキー溝を設けることができる。これにより、良好な手組み式のＣＦカード用フレームキットを提供することができる。
【００１２】
また、金属パネルがフレームの外面を覆う構成では、パネルの端面が露出することになるから、ＩＣカードの外観が必ずしも良くないうえ、パネルの端面に仕上げ処理を行って、鋭利なエッジをなすことがないようにしなければならない。一対のパネルがフレームの内方で係合する本発明の構成では、パネルのエッジを内方に収容できるから、ＩＣカードの外観が良好となり、かつ、パネル端面の仕上げ処理も必要ではない。
【００１３】
さらに、パネルの一方とフレームとが同時成形により一体化されているために、パネルとフレームとが個別に組み合せられる場合に比較して、フレームの変形が格段に少ない。そのため、外力に対して良好な耐久性を有することができる。また、第１パネルとフレームとは一部品として取り扱えるため、部品点数を減らすことができる。これによっても、ＩＣカードの組立てがより簡単になる。
【００１４】
請求項２記載のＩＣカード用フレームキットは、請求項１の発明において、上記第１ロック片は、上記フレームに植設され、先端部を上記フレームの内壁から上記内部空間に突出させて上記フレームに保持されていることを特徴とするものである。
この発明の構成では、第１ロック片は、フレームに植設されているためにほとんど変形しない。このため、第１ロック片と第２ロック片との位置合わせおよびそれらの係合が一層容易となる。
【００１５】
請求項３記載のＩＣカード用フレームキットは、請求項１または２の発明において、上記フレームは、ＩＣカードの外方に露出してＩＣカードの挿入方向に沿う側面をなす外表面を有し、この外表面に、ＩＣカードスロットに誤った姿勢で挿入されることを防止するための誤挿入防止キーが形成されており、上記第１パネルは、上記誤挿入防止キーの形成領域を確保した状態で、すなわち、当該形成領域を回避した状態で、上記フレームと一体化されていることを特徴とするものである。
【００１６】
この発明の構成では、ＩＣカードの組立て後には、フレームの外表面がＩＣカードの側面として露出し、このフレームの外表面に誤挿入防止キーが設けられる。
この発明では、パネルがフレームの外表面を覆わないようにすることができるから、特に、誤挿入防止キーを、カード側面の前端から後端付近にわたって設ける必要があるＩＣカード（ＣＦカード）に、この発明を適用すれば、そのような規格に従った手組み式のフレームキットを提供できる。
【００１８】
請求項４記載の発明は、上記請求項１ないし３のいずれかに記載のフレームキットと、基板にコネクタが取り付けられて構成される基板組立体とを含み、上記基板組立体を上記第１パネルと上記第２パネルとの間に収容して構成されたＩＣカードである。
【００１９】
この発明の構成では、第１および第２ロック片の係合によって、簡単にパネル間の結合が行えるうえ、パネルのフレームへの確実な結合が行われる。このため、ＩＣカードが分解するおそれがない。
【００２０】
【発明の実施の形態】
以下では、この発明の実施の形態を、添付図面を参照して詳細に説明する。この実施形態では、この発明をＣＦカードに適用した場合について説明するが、この発明は、ＰＣカード、スモールＰＣカードなどの他の規格に従うＩＣカードにも適用することができる。
【００２１】
図１は、この発明の一実施形態にかかるＣＦカード１の構成を示す分解斜視図である。図１を参照して、ＣＦカード１は、プリント基板２と、プリント基板２の前端に取り付けられて基板組立体５を構成するコネクタ３と、ＣＦカード１の内部空間を区画し、基板組立体５を保持するフレーム４と、基板組立体５の上面を覆うための第１パネル６と、基板組立体５の下面を覆うための第２パネル７とを備えている。第１パネル６は、ＣＦカード１の通常の使用状態において上側に位置するものであり、フレーム４と同時成形により一体化されてフレームパネルアセンブリ８が構成されている。
【００２２】
コネクタ３は、ＣＦカード用スロット（図示せず）とプリント基板２との電気接続に用いられるものであり、側部に一対の第１の突起９，９を備えている。以下では、ＣＦカード用スロットに接続されるコネクタ３側を前方として説明する。
コネクタ３には、後方に突出する複数の接触子（図示しない）が配置されており、これらは、プリント基板２の底面に半田付けされている。コネクタ３のプリント基板２への取付けは、この半田付けにより達成される。
【００２３】
図２は、フレームパネルアセンブリ８の底面図である。フレームパネルアセンブリ８は、上述のように、略矩形の導電性プレートからなる第１パネル６を、同時成形によりフレーム４と一体化したものであり、たとえば、第１パネル６上でフレーム４が射出成形されて設けられたものである。
フレーム４は、略コの字状を有していて、その内方にＣＦカード１の内部空間を区画している。このフレーム４は、対向する一対の側杆１１，１１と、各側杆１１の後端同士を連結する後端杆１２とを備えている。
【００２４】
各側杆１１の先端には、内方に向かって突出する係合突起１３が形成されている。この一対の係合突起１３，１３は、基板組立体５をフレームパネルアセンブリ８内に収容する際に、コネクタ３の第１の突起９，９と係合してコネクタ３を保持するものである。
各側杆１１の中央よりやや前方寄りの位置には、内方に向かって突出する第２の突起１４が設けられている。また、各側杆１１の中央部よりやや後方寄りの位置には、第３の突起１５が設けられている。各側杆１１の後端には、第４の突起１６が設けられている。この第２〜第４の突起１４，１５，１６の上面には、プリント基板２を保持するための係止部１４ａ，１５ａ，１６ａが形成されている。各側杆１１の後端近傍には、導通部１７が設けられている。この導通部１７は、第１パネル６から下方に延びる金属片を側杆１１に巻き付けたものである。
【００２５】
図３は、フレームパネルアセンブリ８の側面形状を示す図である。側杆１１の外側面１１ａは、外方に露出してＣＦカード１の側面を構成する。この外側面１１ａには、ＣＦカードスロットにＣＦカード１が誤った姿勢で挿入されることを防止するための誤挿入防止キー１８が形成されている。誤挿入防止キー１８は、フレーム４の側杆１１の前端から、中間よりもやや後方の位置まで延びて形成されており、この誤挿入防止キー１８の幅は、左右の外側面１１ａの間で異なっている。これによって、ＣＦカード１をＣＦカードスロット（図示しない）に、上下方向を逆にするなどの誤った姿勢で挿入されることを防止している。また、誤挿入防止キー１８は、ＣＦカード１の後方には閉じているので、ＣＦカード１を前後反転してＣＦカードスロットに挿入することもできないようになっている。
【００２６】
再び図２を参照して、後端杆１２は、内壁１２ａに、後端杆１２の長手方向に沿って延びた一対の回動係合片用溝２０，２１を有する。各回動係合片用溝２０，２１は、両端部に一対の位置決め当接部２０ａ，２１ａを有する。
また、各フレーム４の側杆１１には、間隔をあけて二箇所に、第１ロック片２２が設けられている。
【００２７】
図４は、図２の切断線Ａ−Ａでとった断面図である。ただし、図４は、ＣＦカード１の通常の使用状態における上下方向に従って示している。
第１ロック片２２は、第１パネル６の側縁から、ＣＦカード１の内方に向かって垂下し、側杆１１の内部に入り込んだ垂下部２３と、垂下部２３の先端縁２３ａから内方に向けて折り曲げられて構成されたロック爪２４とを備えている。このようにして、第１ロック片２２は、上記フレーム４の側杆１１内に植設されており、ロック爪２４の先端部２４ａが、側杆１１の内壁１１ｂからほぼ垂直にＣＦカード１の内部空間に突出している。第１パネル６とフレーム４とは同時成形により一体化されているので、ロック爪２４の内壁１１ｂからの突出量は、精度良く規定されている。
【００２８】
フレームパネルアセンブリ８および第２パネル７が結合されたときには、第１ロック片２２は、第２パネル７に設けられた第２ロック片３４と、フレーム４の内側で係合し、これによって、両パネル６，７が結合される。
図４によって二点鎖線で示すように、第２ロック片３４は、第２パネル７の側辺７ａからフレーム４の側杆１１の内壁１１ｂに沿って上方（ＣＦカードの内方に向かう方向）に屈曲成形されて構成された立上部４１と、立上部４１の先端４１ａからフレーム４の内方に向けて斜めに延び、上記ロック爪２４を案内するための案内部４２と、立上部４１に形成された係合孔４３とを備えており、全体として弾性部材をなしている。
【００２９】
図５（ａ）は、第２パネル７の構成を示す平面図であり、図５（ｂ）は、図５（ａ）の矢印Ｒ方向から見た第２パネル７の側面図である。
第２パネル７は、導電性プレートからなっている略矩形の板状体である。第２パネル７には、両側辺７ａ，７ａの略全長にわたって、側辺７ａから上方（ＣＦカード１の内方に向かう方向）に向かって折り曲げられた折曲片３１を有する。
【００３０】
第２パネル７は、後端辺７ｂに、一対の回動係合片３２，３３を備えている。一対の回動係合片３２，３３は、後端辺７ｂに沿ってそれぞれ所定幅を有しており、フレーム４に形成された一対の回動係合片用溝２０，２１とそれぞれ整合する形状にされている。
また、各側辺７ａには、間隔をあけて、二箇所において、第２ロック片３４，３４が形成されている。また、各側辺７ａの後端近傍には、上方に向かって延びる導通片３５が設けられている。
【００３１】
次に、ＣＦカード１の組立て手順について説明する。
図６を参照して、まず、フレームパネルアセンブリ８が裏返しにされた状態で、第２〜第４の突起１４，１５，１６の係止部１４ａ，１５ａ，１６ａに、プリント基板２が嵌め合わされて、基板組立体５がフレーム４に保持される。
その後、フレームパネルアセンブリ８を一方の手に持ち、他方の手で第２パネル７を斜方よりフレームパネルアセンブリ８にあてがって、第２パネル７の一対の回動係合片３２，３３を、フレーム４の後端杆１２に形成された回動係合片用溝２０，２１に係合させる。
【００３２】
そして、作業者は、第１および第２パネル６，７を両手の手指で挟みつけるようにして、第２パネル７をフレーム４に向けて押し付ける。これにより、第１ロック片２２と第２ロック片３４とがスナップ結合して、第１および第２パネル７，８がロック結合する。
このとき、第１ロック片２２と第２ロック片３４とは、フレーム４の内方で結合するため、側杆１１の外側面１１ａは露出した状態となり、誤挿入防止キー１８がパネル６，７で覆われることはない。
【００３３】
また、第１および第２パネル６，７およびフレーム４が結合された状態では、第２パネル７に形成された導通片３５が、対向する第１パネル７の導通部１７と当接し、両パネル６，７間の安定した電気導通が得られる。
図７は、第１ロック片２２と第２ロック片３４との係合時の様子を図解するための要部断面図である。図７（ａ）の状態から、第１パネル６と第２パネル７とを互いに圧接させると、図７（ｂ）のように、案内部４２が、対応するロック爪２４を係合孔４３に案内する。このとき、第２パネル７の立上部４１の近傍の部位および案内部４２は、フレーム４の内方に弾性変形する。一方、上記側杆１１に植設されている第１ロック片２２はほとんど変形することがない。このため、第１および第２ロック片２２，３４を高精度で位置合わせできる。その後、図７（ｃ）に示すように、内方へ延びるロック爪２４が係合孔４３に収容されると、内方へ弾性変形していた第１パネル６の立上部４１および案内部４２が、元の形状に復元することになる。第１および第２ロック片２２，３４の位置合わせが精度良く行われており、また第１ロック片２２はほとんど変形しないので、両者の係合は容易にかつ確実に行える。
【００３４】
このように、立上部４１および案内部４２とが弾性変形し、この弾性変形が復元されるときにロック爪２４と係合孔４３がスナップ係合するので、両者は深く係合してロック状態となる。したがって、第１および第２のロック片２２，３４が、いったん係合されれば、ＣＦカード１が分解することはない。
また、第２パネル７をフレームパネルアセンブリ８に向けて押し付けたときには、ロック片２２，３４同士のスナップ結合の音がするので、両パネル６，７の結合時のフィーリングが良い。
【００３５】
また、第２パネル７の両側辺７ａ，７ａの略全長にわたって折曲片３１が設けられているので、ＣＦカード１の組立て後に、第２パネル７の端面が露出することがなく、良好な外観を呈することができる。
以上のように、この実施形態によれば、第１パネル６が同時成形によってフレーム４と一体化されているため、第１パネル６の第１ロック片２２のフレーム４の内壁１１ｂからの突出量を精度良く規定できる。また、第１および第２のロック片２２，３４の係合時における第１パネル６の弾性変形量はわずかであり、したがって、第１ロック片２２の変位も少ない。よって、第１および第２ロック片２２，３４の係合時の位置合わせが容易であり、また、第１ロック片２２と第２ロック片３４との係合を容易にかつ確実に行える。
【００３６】
また、第１および第２パネル６，７を互いに圧接させたときに、フレーム４の内方で、第１ロック片２２および第２ロック片３４が係合するため、第１および第２パネル６，７は、フレーム４の外側面１１ａが露出する構成とすることが可能である。したがって、フレーム４に良好な誤挿入防止キー１８を設けることができる。
【００３７】
さらに、第１パネル６とフレーム４とが一体化されているために、第１パネル６とフレーム４とが個別に組み合せられる場合に比較して、フレーム４の変形が格段に少ない。そのため、外力に対して良好な耐久性を有することができる。また、第１パネル６とフレーム４とは実質的に一部品として取り扱えるため、部品点数を減らすことができる、これにより、ＣＦカード１の組立てがより簡単に行える。
【００３８】
図８は、本発明にかかるＣＦカード１の他の実施形態の第２パネル１０７の構成を説明するための図である。図１の実施形態の構成において、第２パネル７の代わりに用いる、この実施形態にかかる第２パネル１０７が、図５の実施形態の第２パネル７と異なるのは、フレーム４に対する第２パネル１０７の位置決めを行うための弾性位置決め片５０が設けられている点である。
【００３９】
図８の実施形態では、第２パネル１０７の各側辺１０７ａの前端から、中央よりやや後方までの位置に第２ロック片３４Ａが形成されている。
この第２ロック片３４Ａは、二つの係合孔５３，５３を備えており、各係合孔５３が、それぞれ対応する位置に設けられた第１ロック片２２のロック爪２４に嵌め合わされて、両パネル６，１０７の結合を行うものである。
【００４０】
この実施形態にかかる第２パネル１０７と第１パネル６との結合が図られる際には、第２ロック片３４Ａが第１ロック片２２と係合する。図９を参照して、第２ロック片３４Ａは、第２パネル１０７の側辺１０７ａからフレーム４の側杆１１の内壁１１ｂに沿って上方（ＣＦカード１の内方に向かう方向）に屈曲成形されて構成された立上部５１と、立上部５１の先端５１ａからフレーム４の内方に向けて斜めに延び、上記ロック爪２４を案内するための案内部５２と、立上部５１に形成された二つの係合孔５３，５３と、係合孔５３の上方を、その立上部５１の先端５１ａから外側（フレーム４の内壁１１ｂに向かう方向）へ切り起こして形成された上向き弾性位置決め片５０とを備えており、全体として弾性部材をなしている。
【００４１】
図１０は、第１ロック片２２と第２ロック片３４Ａとの係合を図解するための要部断面図である。
図１０（ａ）に示すように、第１パネル６および第２パネル１０７を互いに近接するように押し当てる。
パネル６，７同士のロック結合が図られる際には、図１０（ｂ）のように、案内部５２が、対応するロック爪２４を係合孔５３に案内する。このとき、第２パネル６の立上部５１の近傍の部位および案内部５２は、フレーム４の内方に弾性変形する。その後、図１０（ｃ）に示すように、内方へ延びるロック爪２４が係合孔５３に収容されると、内方へ弾性変形していた第１パネル６の立上部５１および案内部５２が、元の形状に復元することになる。このとき、弾性位置決め片５０がフレーム４と当接し、フレーム４を外方へと押圧するようになる。
【００４２】
弾性位置決め片５０がフレーム４の内壁１１ｂと弾性的に当接することによって、フレーム４に対する第２パネル１０７の位置決めが行われる。すなわち、弾性位置決め片５０がフレーム４に当接し、フレーム４を外方へと押圧するようになる。そして、その反力によって、第２パネル１０７がフレーム４の中心側へ押されるようになる。よって、第２パネル１０７を確実に正規の位置に配置でき、かつ、組立て後のがたつきを確実に防止できる。
【００４３】
この発明の２つの実施形態について説明したが、この発明は他の形態でも実施することができ、特許請求の範囲に記載された事項の範囲で種々の設計変更を施すことが可能である。
【図面の簡単な説明】
【図１】本発明の一実施形態にかかるＣＦカードの分解斜視図である。
【図２】フレームパネルアセンブリの底面図である。
【図３】フレームパネルアセンブリの側面形状を示す図である。
【図４】図２の切断線Ａ−Ａでとったときの断面図である。
【図５】第２パネルの構成を説明するための図である。
【図６】組立てを説明するためのＣＦカードの断面図である。
【図７】第１ロック片と第２ロック片との係合時の様子を図解するための要部断面図である。
【図８】本発明の他の実施形態にかかる第２パネルを説明するための図である。
【図９】図８の実施形態にかかるＣＦカードの要部断面図である。
【図１０】図８の実施形態にかかる第２ロック片と、第１ロック片との係合を図解するための要部断面図である。
【符号の説明】
１  ＣＦカード（ＩＣカード）
２  プリント基板
３  コネクタ
４  フレーム
６  第１パネル
７，１０７  第２パネル
１１ａ  外側面（外表面）
１１ｂ  内壁
１８  誤挿入防止キー
２２  第１ロック片
２４ａ  先端部
３４，３４Ａ  第２ロック片
５０  弾性位置決め片
【図１】
0004334662.tif 000002
【図２】
0004334662.tif 000003
【図３】
0004334662.tif 000004
【図４】
0004334662.tif 000005
【図５】
0004334662.tif 000006
【図６】
0004334662.tif 000007
【図７】
0004334662.tif 000008
【図８】
0004334662.tif 000009
【図９】
0004334662.tif 000010
【図１０】
0004334662.tif 000011